(57)【要約】      （修正有）【課題】医療品を滅菌状態で安全にその状態で保持されるパッケージを提供する。【解決手段】下部４に接続可能な少なくとも１つのカバー３からなる、医療用品用の膜パッケージを備える容器であって、少なくとも１つのクランプ膜８が少なくとも１つの容器部分（３，４）に円周方向及び周辺方向に取り付けられ、かつ、対象物２が少なくとも１つのクランプ膜８上に支持され、ここで、さらなる容器部分（４，３）における当該対象物２を保持するための固定された保持容器とは反対側に１つのクランプ膜８のみが設けられ、かつ、容器を閉じると、クランプ膜にさらなるプレテンションを施すことができる、容器。【選択図】図１
2020090327.tif 000002
【特許請求の範囲】
【請求項１】
医療品用の膜パッケージを備える、下部に接続可能な少なくとも１つのカバーからなる容器であって、ここで、クランプ膜が少なくとも１つの容器部分の円周の周辺に取り付けられ、かつ、前記容器を閉じると、さらなるプレテンションを前記クランプ膜に施すことができ、保持される対象物が、容器部分の内部にクランプ膜を移動させることを特徴とする容器であって、対象物を保持する固定装置が容器部分に配置され、ここで、前記固定装置の前記クランプ膜がさらなる容器部分と反対側に設けられていることを特徴とする、容器。
【請求項２】
前記容器部分を閉じて、前記２つの容器部分が噛み合うことにより、前記クランプ膜の周辺の円周の全面をプレテンションさせる、前記１つの容器部分が、円周が密封された前記クランプ膜を収容し、かつ、１のクランプ端部を形成することを特徴とする、請求項１に記載の容器。
【請求項３】
前記クランプ膜の密閉効果により形成された、前記２つの容器部分の間に前記クランプ端部が形成された、円周の周辺の密閉端部が設けられることを特徴とする、請求項１又は２に記載の容器。
【請求項４】
前記クランプ膜は、容器部分内の雰囲気に対して密封された内部にまたがり、かつ、前記クランプ膜の他方の側に保持された対象物は、前記密閉された内部にピストン状に空気又はガスが圧縮されて、前記容器部分を組み合わせることにより、前記容器部分の密封された内部に移動することができ、ここで、前記クランプ膜は、膜バルジの形成によりさらにプレテンションされて変形されることを特徴とする、請求項１〜３のいずれか一項に記載の容器。
【請求項５】
少なくとも部分的に透明な容器部分がある、膜バルジの存在により、パッケージの密閉性及び／又は滅菌性を視覚的に確認しうることを特徴とする、請求項４に記載の容器。
【請求項６】
前記下部のリングクランプ端部と前記カバーの領域の関連する対向するクランプ溝との間に第１の密封リングが設けられ、ここで、プロファイルの前記リングクランプ端部が、第１膜クランプ密封フィンガを形成することを特徴とする、請求項１〜５のいずれか一項に記載の容器。
【請求項７】
クランプ溝により、前記カバーに第２密封端部が形成され、ここで、第２密封端部は第２の容器側の膜クランプ密封フィンガから形成され、前記クランプ膜をさらにプレテンションすることを特徴とする、請求項１〜６のいずれか１項に記載の容器。
【請求項８】
前記固定装置は、プラグイン装置、クランプ装置、又はスクリューオン装置として形成されることを特徴とする、請求項１〜７のいずれか一項に記載の容器。
【請求項９】
密封フィンガ及び半径方向に外側のフック端部とともにリング溝を形成するリングフランジが容器部分の外側の半径方向に形成され、ここで、反対側の容器部分がリング突起と係合し、そこでラッチされうることを特徴とする、請求項８に記載の容器。
【請求項１０】
前記２つの容器部分は、互いにラッチされ、ここで、前記ラッチ可能な容器部分のラッチ接続は、開封明示密閉として形成されたプルタブにより解除されうることを特徴とする、請求項１〜９のいずれか一項に記載の容器。
【発明の詳細な説明】
【技術分野】
【０００１】
本発明は、滅菌医療品用膜パッケージである。
【背景技術】
【０００２】
未滅菌の膜パッケージは、様々な実施態様で知られるようになった。例えば、特許文献１が参照され、互いに対向する２つの膜があり、当該膜の間に保護される物体が収容される発明を開示する。直径がわずかに異なる二つの膜クランプリングを互いに同軸に挿入し、２つの膜を互いにプレテンションすることで２つの膜のプレテンションを行う。
【０００３】
このような膜パッケージは、主に、小型部品であるネジ、クラウン、ポインター、ハウジング等の、主として時計部品のパッケージに用いられる。
【０００４】
しかしながら、このようなパッケージには、比較的軽量の物体しかパッケージ化できず、周囲パッケージにまたがる膜が密封されないという欠点がある。したがって、このようなパッケージでは、医療品を滅菌保護するパッケージは提供しえないであろう。特に、滅菌インプラントは、外装膜の端部の密閉性に依存しないため、このような公知のパッケージには保存できない。
【０００５】
特許文献２の発明は、上部と下部から構成されるパッケージ容器の２つの部分がクランプ端部により互いに接続され、保持される比較的軽量の物体が２つのプレテンション膜の間に固定されるが、これにも同様の批判がある。
【０００６】
上記明細書には、２つの膜が固定されている周囲パッケージの密閉性を示す値は示されていない。
【０００７】
特許文献３には、２つの膜が用いられ、２つの膜の間に保持対象物が収容されている発明が開示されている。ここで、当該対象物は、上方に開いたスロットに対して容器部分内で固定されることにより、保持が改善され、それにより、重い物体に対しても、プレテンション及び保持が改良されうる。
【０００８】
特許文献４には、重量物を保持するパッケージが記載されているが、周囲パッケージの内部に保持される重量物をさらに支持する予防措置は講じられていない。
【０００９】
特許文献５は折り畳みパッケージを開示するが、これは、カバーと下部の両方に互いに対向する膜が設けられ、その間に保持される物体が固定されうる発明である。
【００１０】
特許文献６は、製品の浮動パッケージ用の容器を開示する。図１によれば、容器は、内部シェル用支持フレームを形成し、支持フレームを備えた自律型サブユニットのための支持領域がある。支持フレーム周辺には、パッケージされる製品が置かれるフィルムが延伸される。そして、支持フレームをカバーで閉じる。
【００１１】
図１ではカバーには充填物があり、又は、図５ではカバーが閉じるとパッケージされる製品に圧力が加わる要素があり、その結果、当該フィルムがシェルの内部に移動する。当該充填物及び当該要素の表面は滑らかであり、パッケージされる製品と接触する。そのため、製品を十分に固定することができない。さらに、製品を十分に固定するためには、製品をフィルムの比較的遠くまで移動させる必要がある。
【００１２】
特許文献７では、パッケージされる物品は２枚のフィルムの間に配置される。しかしながら、２つのフィルムに弾性があるため、重い物体を保持することができない。
【先行技術文献】
【特許文献】
【００１３】
【特許文献１】中国特許出願公開第６３０３１３号明細書
【特許文献２】米国特許第２，６８１，１４２号明細書
【特許文献３】米国特許第４，９０３，８２７号明細書
【特許文献４】米国特許第３，４８７，９２１号明細書
【特許文献５】独国特許出願公開第３４４０１６９号明細書
【特許文献６】独国特許出願公開第ＤＥ６０３１３６９０号明細書
【特許文献７】特開２００４−７５０７２号公報
【発明の概要】
【発明が解決しようとする課題】
【００１４】
したがって、本発明は、パッケージ内で滅菌物品が安全にその位置で保持されうるような、上記で特定された種類のパッケージを改良する目的に基づく。
【課題を解決するための手段】
【００１５】
この課題を達成するために、本発明は、請求項１に記載の技術的教示により特徴付けられる。
【００１６】
したがって、本発明は以下の好ましい特徴において従来技術と異なるが、それは、単一のクランプ膜のみが、対象物を他の容器部分に保持するための固定された保持スロットとは反対に位置し、かつ、当該容器の閉鎖時にクランプ膜にさらなるプレテンションを加えうるという特徴である。
【００１７】
したがって、本発明の好ましい特徴では、単一の膜のみが存在するが、それはカバー又は下部のいずれかの端で密閉されており、保持対象物はまず、折りたたみ可能な容器部分の、当該膜とは反対側の、固定保持面に保持されて、他方の容器部分に膜が配置される。
【００１８】
さらなる好ましい特徴は、膜がクランプ膜として形成され、周囲パッケージを閉じる場合、に容器端部のプレテンションが、クランプ膜に適用される。
【００１９】
したがって、クランプ膜を円周方向に密閉する容器部分は、クランプ端部を形成し、容器部分を閉じると、２つの容器部分が噛み合い、クランプ膜の周囲の全側面がプレテンションされる。
【００２０】
説明を簡略化するため、本発明のクランプ膜をカバーに配置し、保持対象物の固定保持面が下部に配置されると仮定して以下に説明する。
【００２１】
しかし、本発明は上記に限定されない。２つの容器部分のどの部分が下部又はカバーとなるかは、限定されない。したがって、この２つの用語は互換性がある。単に説明を簡略化するため、以下の説明では、カバーの開口上側に円周に沿ってクランプ膜を配置し、保持される対象物の固定保持面が下部に配置されると仮定する。
【００２２】
本発明の全ての実施形態は、共通して、水平旋回軸内の少なくとも２つの部分容器としてのいずれかの容器が揺動して開き、蓋が下部の水平旋回軸に固定される。しかし、本発明はこれに限定されない。
【００２３】
別の実施形態では、２つの容器部分が互いに完全に分離されて提供されうる。この場合、カバーは、円周方向にラッチされるか又は下部に取り付けられることが好ましい。このための特殊なラッチ接続又はプラグ接続については後述する。当該プラグイン又はスナップイン接続により、容器を密閉でき、同時にクランプ膜がプレテンション下で保持される。
【００２４】
これにより、最初に医療用物品を保持しうる点は有利であり、クランプ膜、好ましくは、カバー内に配置されるクランプ膜は、カバーを取り付けるか又は展開することによりさらにプレテンションされ、当該プレテンションと同時に、容器の端部の円周に密閉面が形成され、これにより、容器内に配置された対象物が大気から絶対的に密閉されうる。
【００２５】
クランプ膜がさらに変形され、保持される対象物に対してさらなる保持効果が達成されると、クランプ膜は雰囲気に対して密閉されたカバーの内部空間を覆う点で、好ましい。
【００２６】
保持対象物の下部がクランプ膜に旋回されるか取り付けられた（下降）場合、クランプ膜の片側にある対象物が、往復ピストンのように、空気が充填されたカバーの内部にクランプ膜を移動させ、その中に含まれる空気が圧縮し、当該圧縮空気により、クランプ膜はさらに確実にさらなるプレテンション及び変形されうる。このように、クランプ膜は、機械的なクランプ力により対象物の外周に付着するだけでなく、圧縮空気の逆圧によりバルジ状の凸状変形を形成し、保持対象物の外周にさらなる付着領域を形成し、保持される対象物を固定する。
【００２７】
その後、透明パッケージ部品の場合、外側から見えるクランプ膜がバルジ状に変形することが、滅菌パッケージの密閉性に対して容易に視覚的に検査可能な指標となるといわれている。
【００２８】
クランプ膜のプレテンションによるさらなる重要な効果としては、クランプ膜のひっぱり運動により、クランプ膜の周辺表面もプレテンションされることがあげられ、本発明によれば、クランプ膜がカバーに接続されるこれらの周辺周囲領域に、１またはそれ以上の多重作用密閉面が配置されることが提供される。
【００２９】
カバーを旋回又はスリップさせて（後回しAufschieben）クランプ膜のプレテンションの高めると、容器側クランプ端部が配置されて、カバーの周辺領域における密閉効果も高まる場合は、有利である。このため、クランプ膜は、溶接部で容器端部に円周方向に固定され、当該膜から自由に広がるクランプ溝は、当該溶接部から半径方向内側に伸び、かつ、反対側の下部のリングクランプ端部は、このクランプ溝に移動され、それにより、膜がさらにプレテンションされる。このようにして、容器側クランプ端部の特殊な形態が説明される。
【００３０】
これにより、下部のリングクランプ端部とカバー領域内の関連する対向するクランプ溝との間に第１密閉面が形成され、プロファイルのリングクランプ端部は第１の密閉フィンガを形成する。
【００３１】
好ましくは、第２密封面も形成され、カバーに配置されたクランピング溝には、半径方向内側に円周状の第２リングクランピング端部があり、これも当該膜と接触して当該膜をプレテンションする。この第２リングクランプ端部はまた、プロファイルに密封フィンガを形成する。
【００３２】
このように、一方はカバーに配置され、他方は下部に配置される、２つの互いに反対方向に連動するリングクランプ端部（密封フィンガ）によりプレテンションが二重に行われる。
【００３３】
その結果、放射状に分離された２つの密封ポイントが形成され、それ自体が容器に密封された状態の絶対的な密封性が確保される。
【００３４】
このようにして、当該容器に滅菌対象物を保管することが初めて可能になるが、それは、当該対象物を容器内に導入することにより、互いに噛み合い、わずかな距離を通過することにより、密封フィンガともいうリングクランプ端部が、初めて、当該膜により容器内部の二重密閉が確実になり、したがって、互いに半径方向の距離で形成された２つの円周方向の密閉端部を形成するためである。
【００３５】
これにより、このような容器に滅菌対象物を長期間保存することが初めて可能となるが、それは、プレテンションのため、入れ子状にする場合、又はカバーから下部に旋回する場合に、クランプ膜のクランプ効果が高まるからであり、同時に、半径方向に離れた２つの密閉端部の領域でも密閉効果が高まる。
【００３６】
好ましい実施形態では、本発明によるクランプ膜は、密閉可能又は溶接可能なプラスチック材料等のの高弾性材料からなる。高弾性の高分子プラスチックが好ましい。
【００３７】
好ましい実施形態では、単一膜の存在のために、適当な固定装置が、比較的重い対象物を保持しうる１つの容器部分に配置される。このような固定装置としては、例えば、プラグイン装置、クランプ装置、スクリューオン装置等があげられる。固定装置の種類及び形状は、保持対象物の種類及び形状に依存する。
【００３８】
例えば、保持対象物にねじ山がある場合、１つの容器の関連する保持面はねじ止め、スライド、又はクランプされうる。
【００３９】
また、容器部分に固定されたクランプ保持装置を用いることもできる。
【００４０】
本発明の利点としては、対向する膜が省略された単一膜の存在のため、比較的重い対象物も、１つの容器部分の固定保持面に保持しうること、また、当該膜は対象物を固定するだけでなく、パッケージを閉じる場合にクランプ封止効果が改善され、それにより、一方では、保持対象物に対する保持力が高まり、他方では、対向する容器部分の密封端部における封止効果が高まることがあげられる。
【００４１】
本発明の当該主題は、個々の請求項の主題からだけでなく、個々の請求項の相互の組み合わせからも生じる。
【００４２】
要約を含む、本明細書に開示される、特に図面に示されている空間的構成を含む、全ての情報及び特徴は、それらが個々に又は従来技術と組み合わせて新規である限り、本発明に不可欠であると主張しうる。用語「本質的」、「本発明による」又は「本発明に不可欠」の使用は主観的であり、いわゆる特徴が必ずしも１又は複数の請求項の構成要素でなければならないことを意味するものではない。
【００４３】
以下に、本発明を、１の実施形態のみを示す図面を参照して詳細に説明する。本発明のさらなる本質的な特徴及び利点は、図面及びそれらの説明から明らかである。
【図面の簡単な説明】
【００４４】
【図１】旋回可能なカバーを備え、下部で揺動可能な容器である、第１の実施形態を示す図である。
【図２】閉じる位置の直前に保持対象物を備え、図１と同じ実施形態を示す図である。
【図３】図１及び図２に示す容器の完全に閉じた場合の位置を示す図である。
【図４】クランプ膜の断面の模式図である。
【図５】テンションがかかっていないクランプ膜８ａの断面の拡大図である。
【図６】クランプ膜８ｂの拡大された断面図を示し、異なるポリマー構造を備える一実施形態であって、図５の変形例を示す図である。
【図７】図５のクランプ膜８ａに引張力を加えた場合の伸びを示す図である。
【図８】クランプから対象物が取り出された分解状態の容器の第２の実施形態を示す図である。
【図９】容器を密封する直前の図であって図８と同様の第２の実施形態を示す図である。
【図１０】図８及び図９の完全に密封された容器を示す図である。
【図１１】第１の実施形態における図８〜１０に記載の容器のうち、クランプ端部の高さが高い容器を示す図である。
【図１２】平均的なクランプ端部を備える、図１１の変形例を示す図である。
【図１３】クランプ端部の高さが低い容器である、図１２の変形例を示す図である。
【図１４】１つのクランプ端部が除去され、さらなるクランプ端部が保持されている、図１３の変形例である。
【図１５】図１１〜図１３による、クランプ端部の高さが様々である容器の概略図である。
【図１６】下部の平面図である。
【図１７】図１６の線ＸＶＩＩ−ＸＶＩＩによる断面を示す図である。
【図１８】プルタブを備える下部の変形例の平面図である。
【図１９】図１８の拡大図である。
【図２０】プルタブを引っ張る場合に互いに分離しうる、カバーと下部のラッチを示す図である。
【図２１】プルタブを引っ張る場合に互いに分離しうる、カバーと下部のラッチを示す図である。
【図２２】プルタブを引っ張る場合に互いに分離しうる、カバーと下部のラッチを示す図である。
【図２３】プルタブを引っ張る場合に互いに分離しうる、カバーと下部のラッチを示す図である。
【図２４】開状態のクランプロックを備える下部の、さらなる実施形態を示す平面図である。
【図２５】クランプロックが閉じた状態である図２４と同じ実施形態を示す図である。
【図２６】開状態のカバーと下部との間のラッチ接続部を通る断面図である。
【図２７】図２６と同じ実施形態における閉状態の断面図である。
【図２８】複数のインプラント対象物を保持するカバー及び下部の概略を示す断面図である。
【図２９】図２８による配置の平面図である。
【発明を実施するための形態】
【００４５】
図１〜図３の例示的な実施形態では、容器１は旋回容器として設計され、下部４で、水平旋回軸６により、矢印７の方向に、クランプ膜８に覆われたカバー３を揺動させることができる。
【００４６】
保持される対象物２は、下部４の内側の保持面５２に収容されて固定される。
【００４７】
このように、カバー３を矢印７の方向と反対方向に旋回させると、保持対象物２が、下部４の内側の保持面５２と、カバー３の内部９を完全に密封するクランプ膜８との間にクランプされる。
【００４８】
ここで、クランプ膜８は、周囲の密閉端部１５とそこに配置された密閉面１６で密閉される。
【００４９】
このような密閉面１６は、例えば、超音波溶接、レーザー溶接、若しくは他の溶接方法又は他の手段により提供することができ、すなわち、クランプ膜８は、カバー３に関連する端部１２の円周に沿って連続的に密封されるか、頑丈に密封されるか又は溶接されうる。
【００５０】
図２に示すように、下部４でカバー３を回転させると、クランプ膜が引っ張られるが、それはそれと同時に対象物２もまたクランプ膜８をカバー３の内部９に移動させるため、クランプ膜の下から矢印１９の方向に作用する圧縮空気が発生し、さらにクランプ膜を弓状に変形させて、「この弓状のおかげで」保持対象物２の周囲にさらに適用される。したがって、カバー３を下部４で回転させると、対象物２の保持効果は、クランプ膜８の弾性に加えて、内部９に存在する空気が圧縮されて、クランプ膜８が矢印１９の方向にさらにバルジ状に変形することで向上する。
【００５１】
図４〜図７は様々なクランプ膜８を示すが、ここで、図５は、空気が充填された中間空間を示し、矢印１１の方向にプレテンションを加えると弾性変形するほぼ円形の分子構造であるクランプ膜８ａを示す。
【００５２】
図６はクランプ膜８ｂのさらなる構造を示すが、それは連鎖分子構造である。
【００５３】
本発明の実施形態には、カバー３で下部４を回転することによる対象物２の保持効果の向上に加えて、図８〜図１０に概略的に示すようなさらなる利点がある。それは、クランプ膜８の矢印１１方向への回転及びプレテンションにより、クランプ膜８が、２つの対向する密封フィンガ２１、２５の領域にさらにクランプされ、したがって、矢印１１の方向にさらなるプレテンションを受けて、カバー３と下部４との間の密封効果が、さら高まることで示される。
【００５４】
図８〜１０による好ましい実施形態では、これは、カバー３の内周には、円周方向の密封フィンガ２１が設けられており、これが半径方向外側にクランプ溝２０に合流するリングクランプ端部を形成し、当該クランプ溝は平坦化されたリング突起２６に合流することで達成される。
【００５５】
したがって、クランプ膜８は、外側に平らに切れる保持端部２２上の前記密閉又は溶接１５、１６により密閉され、頑丈に取り付けられる。
【００５６】
図示の例示的な実施形態では、下部４の内側の関連する保持突起２４にクランプ方式で取り付けうる保持容器５が、保持対象物２を備える。
【００５７】
このようなプラグイン接続の代わりに、もちろん、他の固定オプションを用いてもよい。好ましくは、保持対象物２と下部４の内側との間に固定装置２３があり、スクリュー接続、クランプ接続、スプライン接続、又は差込回転接続等により構成されてよい。
【００５８】
下部４は、カバー３内に半径方向内側に突出し、半径方向外側に延びてリング溝２７内に合流し、リング溝２７は半径方向外側にラッチ端部２８に接続し、外側自由端に内向きフック端部２９が形成される、円周に沿った密封フィンガ２５を備える。
【００５９】
図９及び図１０に示すように、カバー３が下部４上に押し込まれると、２つの密封フィンガ２１及び２５が互いにスライドし、クランプ膜８の間にクランプし、それをクランプ溝２０に引っ張られ、これにより、クランプ膜８に矢印１１の方向にさらに張力が加わる。
【００６０】
それにより、同時に２つの半径方向に分離された密封端部３１、３２が形成され、カバーと下部４との間の密封性は信頼性も高く、確実となり、二重の滅菌バリアが形成される。
【００６１】
好ましい実施形態では、カバー３と下部４との間のラッチは、水平方向外側に突出するリング突起２６が、下部４の関連するリング溝２７と係合し、フック端部２９がカバー３のリング端部２６にスナップするように設けられ、その結果、頑丈なラッチ接続が得られる。
【００６２】
図４に示すように、対象物２をカバー３の密封された内部９に移動させることにより、その中に含まれる空気が圧縮され、一方ではクランプ膜８が矢印１１の方向に引っ張られ、他方ではクランプ膜８が膜バルジ８’を形成し、それにより、保持対象物２の周囲を端部が囲み、位置がさらに確実に固定される。
【００６３】
好ましい特徴によれば、膜バルジ８’の形成は、半径方向に離れた２つの密封端部３１、３２の密封効果の指標でもある。このような（好ましくは透明の）医療用滅菌パッケージが長期間保存された場合でも、膜バルジ８’がまだ存在するかどうかを目視検査により確認しうる。膜バルジ８’が存在する場合、容器１の密封性が保証される。膜バルジ８’が消失した場合、クランプ膜８のゆるみ、あるいは容器１の漏れさえも想定される必要がある。したがって、当該容器１は、好ましくは、間隔をあけた２つの密封端部３１、３２による密封効果を維持しつつ、高度に滅菌された対象物の長期間保存に適する。
【００６４】
図１１〜図１５は、離間した２つの密閉端部３１、３２の様々なバリエーションを示し、ここで、図１１は、下部の密封フィンガ２５の高さが約８ｍｍであり、当該密封フィンガ２５はカバーのクランプ溝２０にほぼ完全に係合することを示す。したがって、図１１に示すように、膜バルジ８’が形成されると、矢印１１の方向にクランプ膜８の最大プレテンションが行われる。
【００６５】
図１２は、クランプ溝２０に部分的に係合する下部の密閉フィンガ２５’を用いうるが、それにもかかわらず、半径方向に間隔を置いて配置された２つの密閉端部３１、３２が依然として存在することを示す。
【００６６】
図１３は、カバー３のクランプ溝２０にわずかに係合し、クランプ膜８のプレテンションを確実に低くする、高さがわずか３ｍｍの密封フィンガ２５’’を示す。しかしながら、密閉端部３１及び３２は依然として存在する。
【００６７】
図１４は、一方の密封端部３１のみが存在し、他方の密封端部３２は省略されているため、密封フィンガ２５’’も完全に省略可能であり、カバー側密封フィンガ３１のみが存在することを示す。
【００６８】
図１５は、単一の図に図１１〜１３に示す様々な例示的な実施形態を要約して示すが、密封フィンガ２５、２５’、２５’’の高さは異なるため、クランプ膜８、８’、８’’の高さは異なり、クランプ効果も異なるが、２つの密封端部３１、３２は維持されている。
【００６９】
図１６及び図１７は、カバー４の内部図を示し、同じ部品には同じ参照符号が付されている。保持突起２４はリング状に形成されていることが分かる。しかしながら、三角形、正方形等のいかなるその他の形態をとることができる。
【００７０】
さらに、カバー４の外側の底面３４は凹んでおり、その領域には、ラベル、使用説明書、又は小冊子を挿入しうることが示されている。
【００７１】
図１８及び図１９は、図１６及び図１７の変形である実施形態を示し、ラッチ接続部は、プルタブ３５によりカバー３と下部４との間に固定されており、矢印３８の方向にプルタブ３５を引っ張ると、カバー３と下部４との間のラッチ接続を解除できる。
【００７２】
すなわち、それは開封明示密閉であり、プルタブ３５により形成される。
【００７３】
まず、図２０〜２２には、カバー３と下部４との間のラッチが概略されており、カバー３の保持端部２２には、下部の関連するラッチ端部２８と、そこに配置されたフック端部と協働する傾斜部があることがわかる。
【００７４】
したがって、カバー３を下部４に対して矢印３０の方向に下向きに移動させると、ラッチ端部２８は矢印３３の方向が示すように外側に弾性的に移動する。
【００７５】
ラッチが完全になると、それは矢印３３’の方向にスナップバック（図２２参照）し、それによりカバー３と下部４との間のラッチ接続が完全に密閉される。
【００７６】
プルタブ３５が矢印３８の方向に引き裂かれて開くと、ラッチ端部２８は既存の所定の破壊リング溝３７により矢印３３の方向に外向きに引き裂かれて、下部４のリングフランジ３６からはずれる。
【００７７】
このように、カバー３と下部４との間のラッチ接続が解除され、カバー側のラッチ端部２８が分離されているため、再び形成されることができなくなる。
【００７８】
図２４〜２７は、カバー３と下部４との間のラッチ接続のさらなる実施形態を示し、好ましくは、下部４の周囲に均等に分布されて配置される複数のクランプロック３９が存在し、各々が、関連する凹部４２により容易に曲げられうる、弾性的に曲げることができるタブとして形成される。これらは、下部４の外周のフィルムヒンジ４３の領域で容易に曲げることができ、かつ旋回可能である。
【００７９】
図２４は、クランプロック３９の開位置を示し、図２５は、カバー３と共に閉位置及びラッチ位置を示す。
【００８０】
図２６によれば、クランプロック３９は、内側に向いたノブ４４を備える、外側に向いたクランプ突起４０を備え、下部４の端部の関連する凹部４５にラッチしうる。
【００８１】
矢印４１の方向に閉じることができる、このラッチ接続は、カバー３の周囲に沿って存在する関連するノブ４６にラッチすることができる、凹部４７が各凹部４２の内側に存在することにより、確実になる。
【００８２】
図２７は、完全にラッチされた位置を示し、ノブ４６が凹部４７へ係合することによりクランプ突起４０はラッチされ、同時に、ノブ４４は、クランプロック３９の下部領域の下部側の凹部４５と係合される。
【００８３】
運動学的反転として、ここに示されたノブ４４及び４６を凹部に置き換えることができ、ここに示された凹部４５、４７をノブとして構成しうることは自明である。
【００８４】
図２７はまた、下部側の密封フィンガ２５のカバー側クランプ溝２０への係合により達成される、半径方向に離れた密封端部３１及び３２をも示す。
【００８５】
図２８及び図２９は、このような容器１に様々な対象物を保持することができることを示し、図示された例示の実施形態では、複数のインプラントスクリュー５０がクランプ保持装置４８内にクランプされ、さらに、クランプ保持装置４９内に同様に保持されるインプラントレール５１も設けられていることを示す。
【００８６】
全体の配置としては、円周方向に密閉され、かつ、プレテンション可能なクランプ膜８のカバー３によりカバー側で覆われており、ここで、クランプ膜８は、保持される対象物５０及び５１の各々の周囲にこのような複雑な固定ケースの膜バルジ８’に形成され、これにより、長期保管であっても、容器全体の密閉性をさらに確認しうる。
【符号の説明】
【００８７】
１    容器
２    対象物
３    カバー
４    下部
５    保持容器
６    水平旋回軸
７    矢印
８    クランプ膜
９    （３からの）内部
１０    間隙
１１    矢印
１２    端部
１３    端部
１４    ラッチ
１５    密閉端部
１６    密閉面
１７    複数の容器
１８    破断点
１９    矢印
２０    クランプ溝
２１    （３の）密封フィンガ
２２    （３からの）保持端部
２３    固定装置
２４    保持突起
２５    （４の）密封フィンガ
２６    リング突起
２７    リング溝
２８    ラッチ端部
２９    フック端部
３０    矢印
３１    密封端部（内側）
３２    密封端部（外側）
３３    矢印
３４    （４の）底面
３５    プルタブ
３６    リングフランジ
３７    破断リング溝
３８    矢印
３９    クランプロック
４０    クランプ突起
４１    矢印
４２    凹部
４３    フィルムヒンジ
４４    ノブ
４５    凹部
４６    ノブ
４７    凹部
４８    クランプ保持装置
４９    クランプ保持装置
５０    インプラントスクリュー
５１    インプラントレール
５２    保持面
【図１】
2020090327.tif 000003
【図２】
2020090327.tif 000004
【図３】
2020090327.tif 000005
【図４】
2020090327.tif 000006
【図５】
2020090327.tif 000007
【図６】
2020090327.tif 000008
【図７】
2020090327.tif 000009
【図８】
2020090327.tif 000010
【図９】
2020090327.tif 000011
【図１０】
2020090327.tif 000012
【図１１】
2020090327.tif 000013
【図１２】
2020090327.tif 000014
【図１３】
2020090327.tif 000015
【図１４】
2020090327.tif 000016
【図１５】
2020090327.tif 000017
【図１６】
2020090327.tif 000018
【図１７】
2020090327.tif 000019
【図１８】
2020090327.tif 000020
【図１９】
2020090327.tif 000021
【図２０】
2020090327.tif 000022
【図２１】
2020090327.tif 000023
【図２２】
2020090327.tif 000024
【図２３】
2020090327.tif 000025
【図２４】
2020090327.tif 000026
【図２５】
2020090327.tif 000027
【図２６】
2020090327.tif 000028
【図２７】
2020090327.tif 000029
【図２８】
2020090327.tif 000030
【図２９】
2020090327.tif 000031
【外国語明細書】
2020090327000001.pdf